(57)【要約】【課題】家庭電気製品から排出される熱気・蒸気を排出する蒸気処理装置およびそれを備えた家庭電気製品収納庫において、様々なキャビネットに容易に対応でき、扉部材を閉めた状態だけでなく、開放した状態でも収納した家庭電化製品を動作できるようにする。【解決手段】キャビネット３内の家庭電気製品収納部の天面に設け家庭電気製品から排出される熱気・蒸気を外部へ排出する蒸気処理装置であって、蒸気処理装置変態１に家庭電気製品収納部の前面開口部を開閉自在に覆う扉部材２を移動自在に取り付ける。また、キャビネット３内に、家庭電気製品を収納する前面が開口した家庭電気製品収納部を設け、この家庭電気製品収納部の天面に蒸気処理装置本体１を設け、扉部材２開放時に、家庭電気製品収納部の天井面と蒸気処理装置本体１の上面との間に設けた扉収納空間に扉部材２を収納するようにする。【選択図】図１
2006334129.tif 000002
【特許請求の範囲】
【請求項１】
キャビネット内の前面が開口した家庭電気製品収納部の天面に設け家庭電気製品から排出される熱気・蒸気を家庭電気製品収納部外へ排出する蒸気処理装置であって、蒸気処理装置本体に前記家庭電気製品収納部の前面開口部を開閉自在に覆う扉部材を移動自在に取り付けた蒸気処理装置。
【請求項２】
キャビネットと、このキャビネット内に設け家庭電気製品を収納する前面が開口した家庭電気製品収納部と、この家庭電気製品収納部の天面に設けた上記請求項１記載の蒸気処理装置とを備え、前記扉部材開放時に、前記家庭電気製品収納部の天井面と蒸気処理装置本体の上面との間に設けた扉収納空間に扉部材を収納するようにした家庭電気製品収納庫。
【請求項３】
扉収納空間の内部両端に扉部材の開閉を円滑に行うガイドレールを設け、前記ガイドレールは蒸気処理装置本体に保持した請求項２記載の家庭電気製品収納庫。
【請求項４】
家庭電気製品収納部の下部空間に家庭電気製品を載置するスライド棚を引き出し自在に設け、前記スライド棚は、前面に扉部材と略同一面となるスライド棚パネル部材を有する請求項２記載の家庭電気製品収納庫。
【請求項５】
扉部材は、下端をスライド棚パネル部材の上面までとした請求項４記載の家庭電気製品収納庫。
【請求項６】
スライド棚パネル部材に吸気口を設けた請求項４記載の家庭電気製品収納庫。
【請求項７】
扉部材に代えて、扉収納空間を塞ぐパネル部材を備え、扉部材を取り付けない蒸気処理装置を取着できるようにした請求項２記載の家庭電気製品収納庫。
【発明の詳細な説明】
【技術分野】
【０００１】
本発明は、家庭電気製品から排出される熱気・蒸気を排出する蒸気処理装置およびそれを備えた家庭電気製品収納庫に関するものである。
【背景技術】
【０００２】
従来、この種の蒸気処理装置を備えた家庭電気製品収納庫は、キャビネット内に、前面が開口し家庭電気製品を収納する家庭電気製品収納部を設け、この家庭電気製品収納部の前面開口部を扉部材で開閉自在に覆い、家庭電気製品収納部の天面に家庭電気製品から排出される熱気・蒸気を外部へ排出する蒸気処理装置を設け、家庭電気製品から排出される熱気・蒸気を外部へ排出することで、家庭電気製品を収納した状態で使用できるよう構成していた（例えば、特許文献１参照）。
【特許文献１】特開平５−１５４０４２号公報
【発明の開示】
【発明が解決しようとする課題】
【０００３】
このような従来の構成では、扉部材がキャビネットに移動自在に設けており、キャビネット内に設けた家庭電気製品収納部の天面に蒸気処理装置を取り付け、さらに、扉部材を取り付ける必要があって、蒸気処理装置を備えた家庭電気製品収納庫を構成するために多くの工数が必要であり、機種展開が困難であるという問題を有していた。
【０００４】
また、扉部材がキャビネットと一体になっており、上下左右に様々なキャビネットを設けたシステムキッチンでは、扉部材を開放した状態では、開放した扉部材が他のキャビネットを塞いだり、キッチン作業の邪魔になって使い勝手がよくないという問題を有していた。
【０００５】
本発明は上記従来の課題を解決するもので、キャビネットに組み込むことにより蒸気処理装置を備えた家庭電気製品収納庫を容易に、かつ見た目にすっきりと構成できるようにするとともに、様々なキャビネットに容易に対応できて機種展開が容易な蒸気処理装置を提供することを第１の目的としている。
【０００６】
また、上下左右に様々なキャビネットを設けたシステムキッチンにおいても、扉部材を閉めた状態だけでなく、扉部材を開放した状態でも収納した家庭電化製品を動作できるようにし、また、他の収納や作業の邪魔にならず、収納した家庭電化製品を使用できる家庭電気製品収納庫を提供することを第２の目的としている。
【課題を解決するための手段】
【０００７】
上記第１の目的を達成するために、本発明の蒸気処理装置は、キャビネット内の前面が開口した家庭電気製品収納部の天面に設け家庭電気製品から排出される熱気・蒸気を家庭電気製品収納部外へ排出する蒸気処理装置であって、蒸気処理装置本体に家庭電気製品収納部の前面開口部を開閉自在に覆う扉部材を移動自在に取り付けたものである。
【０００８】
これにより、キャビネットに組み込むことにより蒸気処理装置を備えた家庭電気製品収納庫を容易に、かつ見た目にすっきりと構成することができるとともに、様々なキャビネットに容易に対応できて機種展開が容易な蒸気処理装置を提供することができる。
【０００９】
また、上記第２の目的を達成するために、本発明の家庭電気製品収納庫は、キャビネット内に、家庭電気製品を収納する前面が開口した家庭電気製品収納部を設け、この家庭電気製品収納部の天面に上記第１の発明記載の蒸気処理装置を設け、扉部材開放時に、家庭電気製品収納部の天井面と蒸気処理装置本体の上面との間に設けた扉収納空間に扉部材を収納するようにしたものである。
【００１０】
これにより、上下左右に様々なキャビネットを設けたシステムキッチンにおいても、扉部材を閉めた状態だけでなく、扉部材を開放した状態でも収納した家庭電化製品を動作させることができ、また、他の収納や作業の邪魔にならず、収納した家庭電化製品を使用できる家庭電気製品収納庫を提供することができる。
【発明の効果】
【００１１】
本発明の蒸気処理装置は、キャビネットに組み込むことにより蒸気処理装置を備えた家庭電気製品収納庫を容易に、かつ見た目にすっきりと構成することができるとともに、様々なキャビネットに容易に対応できて容易に機種展開をすることができ、また、本発明の家庭電気製品収納庫は、上下左右に様々なキャビネットを設けたシステムキッチンにおいても、扉部材を閉めた状態だけでなく、扉部材を開放した状態でも収納した家庭電化製品を動作させることができ、また、他の収納や作業の邪魔にならず、収納した家庭電化製品を使用することができる。
【発明を実施するための最良の形態】
【００１２】
第１の発明は、キャビネット内の前面が開口した家庭電気製品収納部の天面に設け家庭電気製品から排出される熱気・蒸気を家庭電気製品収納部外へ排出する蒸気処理装置であって、蒸気処理装置本体に前記家庭電気製品収納部の前面開口部を開閉自在に覆う扉部材を移動自在に取り付けた蒸気処理装置であり、キャビネットに組み込むことにより家庭電気製品収納庫を容易に構成することができるとともに、見た目にすっきりと家庭電気製品を家庭電気製品収納部内に収納することができ、また、扉部材を閉めたまま炊飯などの機器動作を行うことにより、蒸気処理装置は外乱の影響を受けず、安定した蒸気排出性能を確保することができる。さらに、蒸気処理装置本体に扉部材を移動自在に取り付けることにより、家庭電気製品収納庫ごとに扉部材の設計をする必要がなく、様々なメーカー、様々なシリーズの家庭電気製品収納庫への対応が容易となる上、設置についても、蒸気処理装置本体を設置すれば扉部材は特別な作業は不必要であり、容易に扉部材付きの家庭電気製品収納庫を実現することができる。
【００１３】
第２の発明は、キャビネットと、このキャビネット内に設け家庭電気製品を収納する前面が開口した家庭電気製品収納部と、この家庭電気製品収納部の天面に設けた上記請求項１記載の蒸気処理装置とを備え、前記扉部材開放時に、前記家庭電気製品収納部の天井面と蒸気処理装置本体の上面との間に設けた扉収納空間に扉部材を収納するようにした家庭電気製品収納庫であり、上下左右に様々なキャビネットを設けたシステムキッチンにおいても、扉部材を閉めた状態だけでなく、扉部材を開放した状態でも収納した家庭電化製品を動作させることができ、また、他の収納や作業の邪魔にならず、収納した家庭電化製品を使用することができる。
【００１４】
第３の発明は、上記第２の発明において、扉収納空間の内部両端に扉部材の開閉を円滑に行うガイドレールを設け、前記ガイドレールは蒸気処理装置本体に保持した家庭電気製品収納庫であり、扉部材の開閉を円滑に行うことができ、扉付き蒸気処理装置として、容易に取り付けることができて、様々なキャビネットに対応することができる。
【００１５】
第４の発明は、上記第２の発明において、家庭電気製品収納部の下部空間に家庭電気製品を載置するスライド棚を引き出し自在に設け、前記スライド棚は、前面に扉部材と略同一面となるスライド棚パネル部材を有する家庭電気製品収納庫であり、扉部材とスライド棚パネル部材との一体感を高めることができ、外観品位を向上することができる。
【００１６】
第５の発明は、上記第４の発明において、扉部材は、下端をスライド棚パネル部材の上面までとした家庭電気製品収納庫であり、扉部材の長さを短く設定でき、扉部材の収納時における扉部材の突出量を小さくすることができるので、扉部材収納時の使い勝手を向上することができる。また、スライド棚のレール構成により、スライド棚の厚みは様々なものが存在するが、スライド棚パネル部材の天面を基準とすることにより、キャビネットの有効庫内高さの確保と、各種スライド棚に対する対応が容易となる。
【００１７】
第６の発明は、上記第４の発明において、スライド棚パネル部材に吸気口を設けた家庭電気製品収納庫であり、上下左右に様々なキャビネットを設けたシステムキッチンにおいても、安定した吸気を確保することができる。
【００１８】
第７の発明は、上記第２の発明において、扉部材に代えて、扉収納空間を塞ぐパネル部材を備え、扉部材を取り付けない蒸気処理装置を取着できるようにしたものであり、扉部材に代えてパネル部材を追加することにより、扉部材のない仕様の家庭電気製品収納庫を提供することができ、顧客の様々なニーズに容易に対応することができる。
【００１９】
以下、本発明の実施の形態について、図面を参照しながら説明する。なお、この実施の形態によって本発明が限定されるものではない。
【００２０】
（実施の形態１）
図１に示すように、蒸気処理装置本体１は、扉部材２を移動自在に取り付けて蒸気処理装置を構成し、家庭電気製品から排出される熱気・蒸気を排出するもので、図２に示すように、キャビネット３内の前面が開口した家庭電気製品収納部４の天面に設け、家庭電気製品収納部４の前面開口部を開閉自在に覆う扉部材２を移動自在に取り付けている。
【００２１】
家庭電気製品収納部４の下部空間に引き出しレール（図示せず）により前後方向に引き出し自在にスライド棚５を設け、このスライド棚５に家庭電気製品６を載置して家庭電気製品収納部４内に家庭電気製品６を収納するように構成している。蒸気処理装置本体１は、前面に蒸気排出口７を有し、家庭電気製品６から排出される熱気・蒸気を家庭電気製品収納部２外へ排出する。
【００２２】
扉収納空間８は、家庭電気製品収納部４の天井面と蒸気処理装置本体１の上面との間に設け、扉部材２の開放時に、扉部材２を扉収納空間８に収納するよう構成している。この扉収納空間８の内部両端にガイドレール９を設けており、このガイドレール９は、図３に示すように、蒸気処理装置本体１の天井面に固定脚１０により取り付けて保持し、扉部材２の扉軸１１をガイドレール９に移動自在に装着し、扉部材２の開閉を円滑に行うよう構成している。
【００２３】
扉部材２は、図３および図４に示すように、扉枠１２を有し、この扉枠１２に開口部１３を設け、扉部材２により家庭電気製品収納部４の前面開口部を覆った状態で、開口部１３に蒸気処理装置本体１の前面が位置するようにしている。また、扉部材２の下端付近に扉部材２の開閉時に操作する把手１４を設けている。このとき、扉部材２の下端は、スライド棚５の前面に扉部材２と略同一面となるように設けたスライド棚パネル部材１５の上面までとしている。このスライド棚パネル部材１５に吸気口１６を設けている。
【００２４】
上記構成において動作、作用を説明する。キャビネット３内の前面が開口した家庭電気製品収納部４の天面に蒸気処理装置本体１を取り付けると、蒸気処理装置本体１には家庭電気製品収納部４の前面開口部を開閉自在に覆う扉部材２を移動自在に取り付けているので、家庭電気製品収納部４の天面に蒸気処理装置本体１を有し、家庭電気製品収納部４の前面開口部を扉部材２で開閉自在に覆うようにした家庭電気製品収納庫を容易に構成することができる。
【００２５】
このように構成した家庭電気製品収納庫の扉部材２の把手１０を持ち上げることで扉部材２を、図２の矢印で示すように、上端を支点としてほぼ水平にし、その後、扉収納空間８に押し込んで扉部材２を扉収納空間８内に収納する。つぎに、家庭電気製品収納部４内のスライド棚３を、図２の２点鎖線で示すように前方に引き出し、このスライド棚３上に家庭電気製品６を載置し、スライド棚３を後方に移動させて家庭電気製品６を家庭電気製品収納部４内に収納し、家庭電気製品６に接続したプラグ１７を家庭電気製品収納部４内に設けたコンセント１８に接続する。これにより、家庭電気製品６は動作可能な状態になり、その後、家庭電気製品６の動作を開始することで、所定の動作をさせることができる。
【００２６】
家庭電気製品６の動作を開始した後、扉部材２を扉収納空間８より引き出し、上端を支点として下降させることで家庭電気製品収納部４の前面開口部を覆う。このとき、蒸気処理装置本体１を動作させることにより、家庭電気製品６から排出される熱気・蒸気を吸気口１６より家庭電気製品収納部４内に吸気した空気とともに家庭電気製品収納部４外へ排出することができる。また、扉部材２を扉収納空間８に収納した状態でも家庭電気製品６の動作させることができる。また、扉部材２を閉めることにより、エアコンの風などの外乱の影響を排除することができ、安定した蒸気排出性能を確保することができる。
【００２７】
ここで、扉部材２の開放時に、家庭電気製品収納部４の天井面と蒸気処理装置本体１の上面との間に設けた扉収納空間８に扉部材２を収納するようにしているので、上下左右に様々なキャビネットを設けたシステムキッチンにおいても、扉部材２を閉めた状態だけでなく、扉部材２を開放した状態でも収納した家庭電化製品６を動作させることができ、また、他の収納の邪魔にならずに、収納した家庭電化製品６を使用することができる。
【００２８】
以上のように、本実施の形態における蒸気処理装置においては、キャビネット３内の前面が開口した家庭電気製品収納部４の天面に設け家庭電気製品６から排出される熱気・蒸気を家庭電気製品収納部４外へ排出する蒸気処理装置であって、蒸気処理装置本体１に家庭電気製品収納部４の前面開口部を開閉自在に覆う扉部材２を移動自在に取り付けたので、蒸気処理装置を備えた家庭電気製品収納庫を構成する主要部品、すなわち、蒸気処理装置本体１と扉部材２とを一体に構成することで、キャビネット３に組み込むことにより蒸気処理装置を備えた家庭電気製品収納庫を容易に構成することができるとともに、見た目にすっきりと家庭電気製品６を家庭電気製品収納部４内に収納することができ、また、扉部材２を閉めたまま炊飯などの機器動作を行うことにより、蒸気処理装置は外乱の影響を受けず、安定した蒸気排出性能を確保することができる。さらに、蒸気処理装置本体１に扉部材２を移動自在に取り付けることにより、家庭電気製品収納庫ごとに扉部材２の設計をする必要がなく、様々なメーカー、様々なシリーズの家庭電気製品収納庫への対応が容易となる上、設置についても、蒸気処理装置本体１を設置すれば扉部材２は特別な作業は不必要であり、容易に扉部材付きの家庭電気製品収納庫を実現することができる。
【００２９】
また、上記蒸気処理装置を備えた家庭電気製品収納庫においては、キャビネット３内に、家庭電気製品６を収納する前面が開口した家庭電気製品収納部４を設け、この家庭電気製品収納部４の天面に上記蒸気処理装置を設け、扉部材２の開放時に、家庭電気製品収納部４の天井面と蒸気処理装置本体１の上面との間に設けた扉収納空間８に扉部材２を収納するようにしたので、上下左右に様々なキャビネットを設けたシステムキッチンにおいても、扉部材２を閉めた状態だけでなく、扉部材２を開放した状態でも収納した家庭電化製品６を動作させることができ、また、他の収納や作業の邪魔にならず、収納した家庭電化製品６を使用することができる。
【００３０】
また、扉収納空間８の内部両端に扉部材２の開閉を円滑に行うガイドレール９を設け、ガイドレール９は蒸気処理装置本体１に保持したので、扉部材２の開閉を円滑に行うことができ、扉付き蒸気処理装置として、容易に取り付けることができて、様々なキャビネットに対応することができる。
【００３１】
また、家庭電気製品収納部４の下部空間に家庭電気製品６を載置するスライド棚５を引き出し自在に設け、スライド棚５は、前面に扉部材２と略同一面となるスライド棚パネル部材１５を有するので、扉部材２とスライド棚パネル部材１５との一体感を高めることができ、外観品位を向上することができる。
【００３２】
また、扉部材２は、下端をスライド棚パネル部材１５の上面までとしたので、扉部材２の長さを短く設定でき、扉部材２の収納時における扉部材２の突出量を小さくすることができるので、扉部材収納時の使い勝手を向上することができる。また、スライド棚５のレール構成により、スライド棚５の厚みは様々なものが存在するが、スライド棚パネル部材１５の天面を基準とすることにより、キャビネット３の有効庫内高さの確保と、各種スライド棚に対する対応が容易となる。
【００３３】
また、スライド棚パネル部材１５に吸気口１６を設けたので、上下左右に様々なキャビネット３を設けたシステムキッチンにおいても、安定した吸気を確保することができる。
【００３４】
なお、本実施の形態では、図２に示すように、スライド棚５の上面とスライド棚パネル部材１５の天面とを同一面としているが、スライド棚パネル部材１５の天面をスライド棚５の上面より高くしてもよく、同様の作用、効果を得ることができる。
【００３５】
（実施の形態２）
図５に示すように、蒸気処理装置本体１は、扉部材２に代えて、第１のパネル部材１９と第２のパネル部材２０を取り付けて蒸気処理装置を構成している。第１のパネル部材１９は、上記実施の形態１において、家庭電気製品収納部４の天井面と蒸気処理装置本体１の上面との間に設けた扉収納空間８を塞ぐもので、第２のパネル部材２０は、上記実施の形態１における扉枠１２が入り込む凹部を塞ぐもので、蒸気処理装置本体１の左右に設けている。この蒸気処理装置本体１を、図６に示すように、キャビネット３内の前面が開口した家庭電気製品収納部４の天面に取り付ける。なお、スライド棚パネル部材１５に吸気口を設けなくてよい。他の構成は上記実施の形態１と同じであり、同一符号を付して説明を省略する。
【００３６】
上記構成において作用を説明する。キャビネット３内の前面が開口した家庭電気製品収納部４の天面に蒸気処理装置本体１を取り付けると、蒸気処理装置本体１には第１のパネル部材１９と第２のパネル部材２０を取り付けているので、家庭電気製品収納部４の天面に蒸気処理装置を有し、家庭電気製品収納部４の前面開口部が開いた家庭電気製品収納庫を容易に構成することができる。
【００３７】
このように構成した家庭電気製品収納庫の動作は上記実施の形態１の動作と同じであるので説明を省略する。
【００３８】
以上のように、本実施の形態においては、扉部材２に代えて、扉収納空間８を塞ぐ第１のパネル部材１９と第２のパネル部材２０を備え、扉部材２を取り付けない蒸気処理装置を取着できるようにしたので、扉部材２に代えて第１のパネル部材１９と第２のパネル部材２０を追加することにより、扉部材２のない仕様の家庭電気製品収納庫を提供することができ、顧客の様々なニーズに容易に対応することができる。
【産業上の利用可能性】
【００３９】
以上のように、本発明にかかる蒸気処理装置は、キャビネットに組み込むことにより蒸気処理装置を備えた家庭電気製品収納庫を容易に、かつ見た目にすっきりと構成することができるとともに、様々なキャビネットに容易に対応できて容易に機種展開をすることができ、また、本発明にかかる家庭電気製品収納庫は、上下左右に様々なキャビネットを設けたシステムキッチンにおいても、扉部材を閉めた状態だけでなく、扉部材を開放した状態でも収納した家庭電化製品を動作させることができ、また、他の収納の邪魔にならずに、収納した家庭電化製品を使用することができるので、家庭電気製品から排出される熱気・蒸気を排出する蒸気処理装置およびそれを備えた家庭電気製品収納庫として有用である。
【図面の簡単な説明】
【００４０】
【図１】本発明の実施の形態１における蒸気処理装置の斜視図
【図２】同蒸気処理装置を備えた家庭電気製品収納庫の断面図
【図３】同蒸気処理装置を備えた家庭電気製品収納庫の要部拡大分解斜視図
【図４】同蒸気処理装置を備えた家庭電気製品収納庫の正面図
【図５】本発明の実施の形態２における蒸気処理装置の斜視図
【図６】同蒸気処理装置を備えた家庭電気製品収納庫の正面図
【符号の説明】
【００４１】
１  蒸気処理装置本体
２  扉部材
３  キャビネット
４  家庭電気製品収納部
６  家庭電気製品
８  扉収納空間
【図１】
2006334129.tif 000003
【図２】
2006334129.tif 000004
【図３】
2006334129.tif 000005
【図４】
2006334129.tif 000006
【図５】
2006334129.tif 000007
【図６】
2006334129.tif 000008